【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
風力タービンの状態を監視する方法であって、以下のステップを含んでおり：
・評価される測定データおよび動作状態パラメータを収集し；
・前記収集された動作状態パラメータから動作状態パラメータのサブセットを選択し；
・当該選択された動作状態パラメータのサブセットに基づいて、ｎ個の特徴モーメントのセットを計算し；
・有限ｎ次元空間を提供し、当該ｎ個の次元の各次元は前記１つの特徴モーメントに対する可能な値を表し、前記ｎ次元空間は幾つかのビンに区分され、各ビンはｎ次元間隔をあらわし、当該ｎ次元間隔はｎ個の１次元間隔によって定められており、前記ｎ個の１次元間隔の各々はｎ次元のうちの１つにおける間隔をあらわし、各ビンはｎ個の特徴モーメントのセットに対する受容可能な領域を定め；
・計算された特徴モーメントのセットが１つのビンに属しているか否かを定め；
・計算された特徴モーメントのセットが１つのビンに属していることが検出されると、前記特徴モーメントおよび測定データのセットを受容する、
ことを特徴とする、風力タービンの状態を監視する方法。
【請求項２】
各ビンに対して少なくとも１つのインデックスを提供し、収集された測定データの評価の結果に前記ビンの１つまたは複数の前記インデックスをタグ付けし、当該ビンには前記受容される特徴モーメントのセットが属している、請求項１記載の方法。
【請求項３】
前記特徴モーメントが前記ビンのうちの１つに属していないことが検出されると、前記計算された特徴モーメントのセットが前記ビンのうちの１つに属しているか否かを定めるステップを後の時点で再び実施する、請求項１または２記載の方法。
【請求項４】
前記特徴モーメントが前記ビンのうちの１つに属していることが検出されると、処理された測定データおよび特徴モーメントが長期記憶装置内に記憶されるべきかいなかを定める、請求項１から３までのいずれか１項記載の方法。
【請求項５】
前記処理された測定データおよび特徴モーメントが長期記憶装置内で記憶されるか否かを定める前記ステップは、記憶装置内に含まれている前記処理された測定データおよび特徴モーメントに関してアラーム状態が変化したか否かを検出するステップと、アラーム状態が変化したことが検出されると前記処理された測定データおよび特徴モーメントを記憶するステップとを含む、請求項４記載の方法。
【請求項６】
前記処理された測定データおよび特徴モーメントが長期記憶装置内に記憶されるか否かを定める前記ステップは、長期記憶装置内への処理された測定データおよび特徴モーメントの最後の記憶から所定の時間が経過したかを定めるステップと、所定の時間が経過したことが検出されると、前記処理された測定データおよび特徴モーメントを記憶するステップとを含む、請求項４または５記載の方法。
【請求項７】
長期記憶装置内への処理された測定データの最後の記憶から所定の時間が経過したかを定める前記ステップを、前記アラーム状態が変化していないことが検出された場合にのみ実施する、請求項５および６記載の方法。
【請求項８】
前記測定データおよび動作状態パラメータを継続的に収集する、請求項１から７までのいずれか１項記載の方法。
【請求項９】
前記収集された測定データおよび動作状態パラメータは、状態監視システムからの測定データ、振動測定値および／またはひずみゲージ測定値および／または風速測定値および／またはローター回転速度値および／または生成されたパワー値および／または温度測定値および／または風力タービンの潤滑油内で検出された金属粒子量をあらわす測定値を含む、請求項１から８までのいずれか１項記載の方法。
【請求項１０】
前記収集された測定データおよび動作状態パラメータに対する評価方法を、ルール定義の評価に基づいて選択する、請求項１から９までのいずれか１項記載の方法。
【請求項１１】
ルール定義収納場所は少なくとも１つのルール表現を含み、当該ルール表現は評価方法の種類および／または収集された測定データの評価の時間および／または前記収集された測定データを評価する頻度および／または前記収集された測定データを評価するのに使用されるデータの種類および／または前記収集された測定データを評価するのに使用されるデータ量を定める、請求項１０記載の方法。
【請求項１２】
特徴モーメントの計算は、前記動作状態パラメータの二乗平均平方根および／または平均値を計算することを含む、請求項１から１１までのいずれか１項記載の方法。
【請求項１３】
前記収集された測定データを評価し、当該評価は前記収集された測定データの処理および前記処理された測定データと、同じビンに属する特徴モーメントに割り当てられている事前に処理された測定データとの比較を含む、請求項１から１２までのいずれか１項記載の方法。
【請求項１４】
風力タービンの状態を監視する風力タービン監視システムであって、
処理ユニットを有し、
前記処理ユニットは、
・評価される測定データおよび動作状態パラメータを収集し；
・前記収集された動作状態パラメータから動作状態パラメータのサブセットを選択し；
・当該選択された動作状態パラメータのサブセットに基づいて、ｎ個の特徴モーメントのセットを計算し；
・有限ｎ次元空間を提供し、当該ｎ個の次元の各次元は前記１つの特徴モーメントに対する可能な値を表し、前記ｎ次元空間は幾つかのビンに区分され、各ビンはｎ次元間隔をあらわし、当該ｎ次元間隔はｎ個の１次元間隔によって定められており、前記ｎ個の１次元間隔の各々はｎ次元のうちの１つにおける間隔をあらわし、各ビンはｎ個の特徴モーメントのセットに対する受容可能な領域を定め；
・計算された特徴モーメントのセットが１つのビンに属しているか否かを定め；
・計算された特徴モーメントのセットが１つのビンに属していることが検出されると、前記特徴モーメントおよび測定データのセットを受容する、
ことを特徴とする、風力タービン監視システム。
【請求項１５】
前記処理ユニットは、
各ビンに対して少なくとも１つのインデックスを提供し、収集された測定データの評価の結果に前記ビンの１つまたは複数の前記インデックスをタグ付けし、当該ビンには前記受容される特徴モーメントのセットが属している、請求項１４記載の風力タービン監視システム。
【請求項１６】
前記処理ユニットは、
前記特徴モーメントが前記ビンのうちの１つに属していないことが検出されると、前記計算された特徴モーメントのセットが前記ビンのうちの１つに属しているか否かを定めるステップを後の時点で再び実施する、請求項１４または１５記載の風力タービン監視システム。
【請求項１７】
前記処理ユニットは、
前記特徴モーメントが前記ビンのうちの１つに属していないことが検出されると、処理された測定データおよび特徴モーメントが長期記憶装置内に記憶されるべきかいなかを定める、請求項１４から１６までのいずれか１項記載の風力タービン監視システム。
【請求項１８】
前記処理ユニットは、
前記処理された測定データおよび特徴モーメントが長期記憶装置内で記憶されるか否かを定める際に、
記憶装置内に含まれている前記処理された測定データおよび特徴モーメントに関してアラーム状態が変化したか否かを検出し、
アラーム状態が変化したことが検出されると前記処理された測定データおよび特徴モーメントを記憶する、請求項１７記載の風力タービン監視システム。
【請求項１９】
前記処理ユニットは、
前記処理された測定データおよび特徴モーメントが長期記憶装置内に記憶されるか否かを定める際に、
長期記憶装置内への処理された測定データおよび特徴モーメントの最後の記憶から所定の時間が経過したかを検査し、
所定の時間が経過したことが検出されると、前記処理された測定データおよび特徴モーメントを記憶する、請求項１７または１８記載の風力タービン監視システム。
【請求項２０】
前記処理ユニットは、
前記アラーム状態が変化していないことが検出された場合にのみ、長期記憶装置内への処理された測定データの最後の記憶から所定の時間が経過したかを定める、請求項１８または１９記載の風力タービン監視システム。
【請求項２１】
前記処理ユニットは、
前記測定データおよび動作状態パラメータを継続的に収集する、請求項１４から２０までのいずれか１項記載の風力タービン監視システム。
【請求項２２】
前記収集された測定データおよび動作状態パラメータは、状態監視システムからの測定データ、振動測定値および／またはひずみゲージ測定値および／または風速測定値および／またはローター回転速度値および／または生成されたパワー値および／または温度測定値および／または風力タービンの潤滑油内で検出された金属粒子量をあらわす測定値を含む、請求項１４から２１までのいずれか１項記載の風力タービン監視システム。
【請求項２３】
前記処理ユニットは、
前記収集された測定データおよび動作状態パラメータに対する評価方法を、ルール定義の評価に基づいて選択する、請求項１４から２２までのいずれか１項記載の風力タービン監視システム。
【請求項２４】
ルール定義収納場所は少なくとも１つのルール表現を含み、当該ルール表現は評価方法の種類および／または収集された測定データの評価の時間および／または前記収集された測定データを評価する頻度および／または前記収集された測定データを評価するのに使用されるデータの種類および／または前記収集された測定データを評価するのに使用されるデータ量を定める、請求項２３記載の風力タービン監視システム。
【請求項２５】
特徴モーメントの計算は、前記動作状態パラメータの二乗平均平方根および／または平均値を計算することを含む、請求項１４から２４までのいずれか１項記載の風力タービン監視システム。
【請求項２６】
前記処理ユニットは、
前記収集された測定データを評価し、
当該評価することは前記収集された測定データを処理することおよび前記処理された測定データと、同じビンに属する特徴モーメントに割り当てられている事前に処理された測定データとを比較することを含む、請求項１４から２５までのいずれか１項記載の風力タービン監視システム。
【手続補正２】
【補正対象書類名】明細書
【補正対象項目名】００２１
【補正方法】変更
【補正の内容】
【００２１】
幾つかの実施形態では、特徴モーメントの計算は、動作状態パラメータの選択されたサブセットの二乗平均平方根（ＲＭＳ実効値）および／または平均値の計算を含む。
【手続補正３】
【補正対象書類名】明細書
【補正対象項目名】００３１
【補正方法】変更
【補正の内容】
【００３１】
リアルタイムプロセス並びにオフラインプロセスによって、特別なモーメントおよび／または分析結果が得られる。特別なモーメントが、収集された動作状態パラメータのサブセットから計算される。これは、タービンの動作状態を記述する。計算された特別なモーメントによって、風力タービンの動作状態が特徴付けられる。従って、この特別なモーメントは、本文献全体において特徴モーメントとも称される。この特徴モーメントは例えば、動作状態パラメータのサブセットにおけるパラメータ値の平均値または二乗平均平方根である。